(57)【特許請求の範囲】
【請求項１】
調理器本体の上面等に加熱手段を備え、かつ上記調理器本体の前面に操作パネルを配設し、この操作パネルの裏面に複数のランプを搭載した電装基板を装着したものにおいて、
この操作パネルの上部を垂直面に構成すると共に、下部を下端が前方へ突出する傾斜面に構成し、
かつ上記操作パネルの傾斜面の裏面に中空筒状のホルダーを複数配置し、
前記複数の中空筒状のホルダー夫々には、対向する位置に投光性の導光レンズを配置すると共に、複数の前記導光レンズは一体形成されており且つ前記傾斜面と並行するように延在し、
前記電装基板は前記調理器本体の底面と垂直となるように配置され、
複数の前記ランプと導光レンズは、夫々前記中空筒状のホルダーに挿入固定されていることを特徴とする加熱調理器。
【発明の詳細な説明】
【０００１】
【発明の属する技術分野】
本発明は、調理器本体の前面に操作パネルを配設した加熱調理器に関する。
【０００２】
【従来の技術】
調理器本体の上面等に加熱手段を配置し、調理器本体の前面に操作パネルを配置した加熱調理器では、例えば特開昭６３−２９０３３１号公報に示される様に、器具の使用時には器具本体より操作パネルを取り出し、かつ操作パネルの操作面が傾斜する様に構成したものがあるが、この構成の場合には、操作パネルをスムーズに出し入れする為の機構がコストアップを招く等の問題がある。
【０００３】
又、実開昭６３−１４９０７号公報に示される様に、操作面のみを傾斜させたものもあるが、この場合には操作面の裏側に操作面と平行に電装基板を装着している為、操作面上方の垂直面に表示器等を取り付ける場合、操作用と表示用で電装基板を分離させる必要があり、部品点数の増加によるコストアップを招くという問題がある。
【０００４】
【発明が解決しようとする課題】
そこで本発明は、コストを低減しながら操作面を傾斜して操作性を向上する事を目的とするものである。
【０００５】
【課題を解決するための手段】
本発明は、調理器本体の上面等に加熱手段を備え、かつ上記調理器本体の前面に操作パネルを配設し、この操作パネルの裏面に複数のランプを搭載した電装基板を装着したものにおいて、この操作パネルの上部を垂直面に構成すると共に、下部を下端が前方へ突出する傾斜面に構成し、かつ上記操作パネルの傾斜面の裏面に中空筒状のホルダーを複数配置し、前記複数の中空筒状のホルダー夫々には、対向する位置に投光性の導光レンズを配置すると共に、複数の前記導光レンズは一体形成されており且つ前記傾斜面と並行するように延在し、前記電装基板は前記調理器本体の底面と垂直となるように配置され、複数の前記ランプと導光レンズは、夫々前記中空筒状のホルダーに挿入固定されていることを特徴とする。
【０００８】
【発明の実施の形態】
本発明の実施例を電磁調理器を用いて先ず図１に基づき説明すると、１は例えば図示しないシステムキッチンに、ドロップイン方式にて組み込んで使用される加熱調理器本体で、上面に耐熱ガラス製の天板２を装着していると共に、この天板の後方に、多数の通気孔３・・を穿孔した吸排気カバー４を着脱自在に装着している。
【０００９】
又、上記加熱調理器本体１内の前面右側には、樹脂の成形により構成した操作パネル５を配設し、かつこの操作パネルの左側にはロースタ６用の扉７を引き出し自在に配設している。
【００１０】
更に、上記天板２の下方には、手前の左右に誘導加熱コイル８，８を配置すると共に、これら加熱コイル間の後方にラジェントヒータ９を配設している。
【００１１】
一方、上記操作パネル５の前面には、その上部に垂直面１０、下部に下端が前方に突出する傾斜面１１を形成している。
【００１２】
又、上記操作パネル５の前面は、図２にても示す様に主に左右方向に３区画し、右側の垂直面１０に、左右シーソー式の電源スイッチ１２と、揚げ物調理を設定する揚げ物キー１３を配置し、この下の傾斜面１１に、上記右側の誘導加熱コイル８への通電をオン・オフする運転キー１４と、設定火力を上げたり下げたりする一対の火力設定キー１５，１６を配置し、上記揚げ物キー１３と運転キー１４、火力設定キー１５，１６にて右コンロの動作を設定する様に構成している。
【００１３】
更に、上記操作パネル５中央の垂直面１０には、ロースタ用の運転キー１７と火力設定キー１８を配置し、傾斜面１１に、上記ラジェントヒータ９への通電をオン・オフする運転キー１９と同じく一対の火力設定キー２０，２１を配置し、これら垂直面１０に配置したキーにてロースタ６の動作を設定し、傾斜面１１に配置したキーにてラジェントヒータ９の動作を設定する。
【００１４】
そして、上記操作パネル５左側の垂直面１０にはタイマーキー２２を配置し、傾斜面１１には、上記左側の誘導加熱コイル８への通電をオン・オフする運転キー２３と同じく一対の火力設定キー２４，２５を配置し、これらのキーにて左コンロの動作を設定する様に構成している。
【００１５】
上記の様に、使用頻度の高いコンロ用の運転キー１４，１９，２３や、火力設定キー１５，１６、２０，２１、２４，２５を傾斜面１１に配置したことで、使用者の肉体的な疲労を軽減し、操作性を向上する事が出来るものである。
【００１６】
一方、上記電源スイッチ１２の横にはＬＥＤランプにて構成した電源ランプ２６、揚げ物キー１３には揚げ物ランプ２７を配置すると共に、火力設定キー１７の上には３個のロースタ用の火力表示ランプ２８・・を配置し、火力設定キー１８をオン操作する度に、ロースタの火力を、弱−中−強−弱とループ状に順次切換え設定する様に構成し、かつ上記タイマーキー２２の上には４個のタイマー表示ランプ２９・・を配置し、タイマーキー２２をオン操作する度に、０．５（時間）−１−２−３−切−０．５とループ状に順次切換え設定する様に構成している。
【００１７】
更に、上記各運転キー１４，１７，１９，２３には、図３及び図４にても示す様に、ＬＥＤランプにて構成した運転ランプ３０，３１，３２，３３を配置していると共に、傾斜面１１に配置した各運転ランプ３０，３２，３３の操作パネル５裏面には、図３にて示す中空筒状のホルダー３４・・を一体成形し、このホルダー内に透明樹脂にて形成した導光レンズ３５・・を挿入固定している。
【００１８】
又、上記各ランプ２６〜３３は、上記操作パネル５の背面に、垂直面１０に平行にビス３６止め装着した電装基板３７の前面に全て同じ高さ位置にて装着されている。
【００１９】
これにより、各ランプ２６〜３３の電装基板３７への取付け高さを変更する必要がなく、作業性を向上出来ると共に、電装基板３７を平板で構成する事が出来、コストダウンを計る事が出来るものである。
【００２０】
一方、上記ホルダー３４・・の上下には位置決め用の切欠き３８・・を形成していると共に、上記導光レンズ３５・・の上下にこの切欠きに係合する突起３９・・を一体成形し、かつこれら下方の突起には連結杆４０・・を一体成形し、この連結杆にて導光レンズ３５・・同士を連結している。
【００２１】
これにより、導光レンズ３５・・、突起３９・・、連結杆４０・・を一体成形する事ができ、材質の相違による輝度むら等を防止出来るものである。
【００２２】
更に、上記ホルダー３４・・の内壁面には、図５にて示す様な抜け止め用の突起４１・・を一体成形し、導光レンズ３５・・の挿入後は、この導光レンズの後端が突起４１・・に当たって脱落を防止する事ができ、これによって、電装基板３７を操作パネル５にセットする場合、導光レンズ３５・・の脱落を防止して作業性を向上出来るものである。
【００２３】
【発明の効果】
本発明の構成により、操作パネルの裏面に電装基板を装着したものにおいて、操作パネルの上部を垂直面に構成し、下部を傾斜面に構成すると共に、この傾斜面の裏面に導光レンズを配置し、かつこの導光レンズに対向して電装基板にＬＥＤランプを配置したことで、操作パネルの下部に傾斜面を形成して操作性の向上を計りながら、電装基板を平板状に構成したり、ＬＥＤランプの取り付け位置を均一に設定する事が出来、部品点数の削減によるコストダウンや、組み立て作業性の向上を計る事が出来るものである。
【００２４】
又本発明の構成により、導光レンズを複数横並びに配置すると共に、これらの導光レンズを連結杆により一体成形することで、導光レンズを同じ材質にて成形する事ができ、材質の相違による輝度むらを防止する事が出来るものである。
【００２５】
そして又本発明の構成により、操作パネルの傾斜面に使用頻度の高いキーを配置したことで、操作時における使用者への肉体的な負担を軽減し、操作性を向上する事が出来るものである。
【図面の簡単な説明】
【図１】本発明による実施例を示す斜視図である。
【図２】同じく操作パネルの正面図である。
【図３】同じく操作パネルの背面分解斜視図である。
【図４】同じく扉の側面縦断面図である。
【図５】Ａは同じく要部の側面縦断面図、Ｂは同じく背面図である。
【符号の説明】
１    調理器本体
５    操作パネル
１０  垂直面
１１  傾斜面
３０  運転ランプ
３５  導光レンズ
３７  電装基板
４０  連結杆
【図１】
0004508489.tif 000002
【図２】
0004508489.tif 000003
【図３】
0004508489.tif 000004
【図４】
0004508489.tif 000005
【図５】
0004508489.tif 000006